(57)【要約】【課題】、複数のメロディ玩具を連結し、何れか一つのメロディ玩具にユーザーが働きかけると、働きかけたメロディ玩具が主導権を握って他の全てのメロディ玩具をコントロールし、単体では味わうことのできない楽しいメロディ玩具装置を提供すること。【解決手段】全てのメロディ玩具１は信号ケーブル２で並列接続され、メロディ玩具１はそれぞれユーザーの働きかけを感知するセンサ３を備え、該センサ３が働いたメロディ玩具がマスター玩具Ｍとなり、他のメロディ玩具はスレーブ玩具Ｓとなり、メロディ玩具は該メロディ玩具固有の複数の主旋律及び他のメロディ玩具固有の主旋律に対応した副旋律とを記憶するとともに、マスター玩具Ｍが主旋律を出力し、スレーブ玩具Ｓはマスター玩具Ｍの出力する主旋律に対応した副旋律を出力する。【選択図】        図１
2004219870.tif 000002
【特許請求の範囲】
【請求項１】
少なくとも２つのメロディ玩具を信号ケーブルで連結してなる、以下の要件を備えることを特徴とするメロディ玩具装置。
（イ）全てのメロディ玩具は信号ケーブルで並列接続されること
（ロ）メロディ玩具はそれぞれユーザーの働きかけを感知するセンサを備え、該センサが働いたメロディ玩具がマスター玩具となり、他のメロディ玩具はスレーブ玩具となること
（ハ）メロディ玩具には該メロディ玩具固有の複数の主旋律及び他のメロディ玩具固有の主旋律に対応した副旋律とを記憶し、マスター玩具が主旋律を出力し、スレーブ玩具はマスター玩具の出力する主旋律に対応した副旋律を出力すること
【請求項２】
前記センサがユーザーの働きかけを感知してマスター玩具となったメロディ玩具は、記憶されている主旋律の曲目データを前記信号ケーブルを介して他のメロディ玩具に送信し、該曲目データを受信したメロディ玩具はスレーブ玩具に設定されるとともに受信確認信号を送信し、スレーブ玩具になったことをマスター玩具に通知する、請求項１記載のメロディ玩具装置。
【請求項３】
前記メロディ玩具は、メロディの出力に連係して少なくとも身体の一部を動作させる、請求項１又は２記載のメロディ玩具装置。
【発明の詳細な説明】
【０００１】
【発明の属する技術分野】
本発明は、メロディ玩具装置、詳しくは複数のメロディ玩具を信号ケーブルで接続し、ユーザーが働きかけたメロディ玩具が主旋律を出力し、他の全てのメロディ玩具は副旋律を出力する、メロディ玩具装置に関する。
【０００２】
【従来の技術】
従来、ユーザーの働きかけに反応し声を出したり、声にあわせて身体を動かしたりする動作玩具が提案され実用に供されている。しかし、これらの動作玩具はユーザーの働きかけをセンサで感知してメロディを出力するものであり、ユーザーとの積極的なコミュニケーションを図ることが無いため、ユーザーの参加型玩具としてメロディを出力中に玩具に働きかけるとメロディに加えて働きかけに応じて効果音を出力するものが提案されている（例えば、特許文献１参照）。
【０００３】
【特許文献１】
特開２０００−２６２７６１号公報（第３頁、図１）
【０００４】
【発明が解決しようとする課題】
しかしながら、上述の動作玩具は単体で動作するもので、ユーザーの働きかけに対応して動作するが、同時に複数の動作玩具が動作するものではなく、対話形式で遊ぶことはできるが複数の動作玩具による同時動作を楽しむことができるものではなかった。
【０００５】
本発明は上記問題点を解消し、複数のメロディ玩具を連結し、何れか一つのメロディ玩具にユーザーが働きかけると、働きかけたメロディ玩具が主導権を握って他の全てのメロディ玩具をコントロールし、単体では味わうことのできない楽しいメロディ玩具装置を提供することをその課題とする。
【０００６】
【課題を解決するための手段】
前記課題を解決するため、本発明に係るメロディ玩具装置は、少なくとも２つのメロディ玩具を信号ケーブルで連結してなる、以下の要件を備えることを特徴とする。
（イ）全てのメロディ玩具は信号ケーブルで並列接続されること
（ロ）メロディ玩具はそれぞれユーザーの働きかけを感知するセンサを備え、該センサが働いたメロディ玩具がマスター玩具となり、他のメロディ玩具はスレーブ玩具となること
（ハ）メロディ玩具には該メロディ玩具固有の複数の主旋律及び他のメロディ玩具固有の主旋律に対応した副旋律とを記憶し、マスター玩具が主旋律を出力し、スレーブ玩具はマスター玩具の出力する主旋律に対応した副旋律を出力すること
【０００７】
なお、前記センサがユーザーの働きかけを感知してマスター玩具となったメロディ玩具は、記憶されている主旋律の曲目データを前記信号ケーブルを介して他のメロディ玩具に送信し、該曲目データを受信したメロディ玩具はスレーブ玩具に設定されるとともに受信確認信号を送信し、スレーブ玩具になったことをマスター玩具に通知することが好ましい。
【０００８】
また、前記メロディ玩具は、メロディの出力に連係して少なくとも身体の一部を動作させ、単にメロディを出力するだけではなく歌う動作をしながらメロディを出力させるようにすればよい。
【０００９】
【発明の実施の形態】
図１は、本発明に係るメロディ玩具装置を示し、このメロディ玩具装置は犬を模して形成された複数のメロディ玩具１（Ａ〜Ｅ）を信号ケーブル２で並列接続したものである。
【００１０】
メロディ玩具は、図２に示すように、全高が５０ミリ程度の大きさで内部にはユーザーの働きかけを検出するセンサ３と、主旋律と他のメロディ玩具の副旋律とを記憶するとともにメロディ玩具全体を制御する制御プログラムとを記憶したメモリ４と、口と耳とを作動させる作動機構５と、メロディを出力するスピーカ６と、センサ３の検出結果に基づいてメロディ玩具全体を制御する制御部７とを備えている。
【００１１】
メロディ玩具は、図３に示すように、前カバー１０と後カバー１１とをネジ止めすることにより犬の形態をなすもので、内部にはセンサ３、スピーカ６、電池ボックス８、制御回路やドライブ回路がマウントされた回路基板９、及び作動機構５が配置されている。
【００１２】
作動機構は２枚のフレーム１２、１３で支軸１４が回動可能に支持された作動板１５と、一方のフレーム１２に固定されたコイル１６とを備え、作動板１５には極性の異なる永久磁石１７、１８が固定され、コイル１６の励磁電流の向きを変えてコイル１６と永久磁石１７、１８との吸引・反発により作動板１５を前後に回動させるようになっている。この作動板１５の支軸１４には下顎部材１９が軸着されているので作動板１５の回動により、下顎部材１９が上下に動き恰も口を動かして歌を歌っているように動作させることができる。
【００１３】
また、作動板１５の上部前後に突出形成された押圧片１５ａ、１５ｂが耳部材２０、２１に形成された係合片２０ａ、２１ａに係合し、作動板１５が後方に回動した時には、図４（ａ）に示すように、押圧片１５ａが係合片２０ａ、２１ａに係合し、これを後方に押圧するので耳部材２０、２１は前方に回動し、作動板１５が前方に回動した時には、図４（ｂ）に示すように、押圧片１５ｂが係合片２０ａ、２１ａに係合し、これを前方に押圧するので耳部材２０、２１は後方に回動し、下顎部材１９の上下回動に連係して作動するようになっている。
【００１４】
図５は、メロディ玩具のブロック図を示し、符号６はメモリ４を内蔵した制御部を示し、この制御部７はプログラマブル音声合成ＩＣを用いればよい。符号２５はコイル１６の駆動回路を示し、制御部７の制御信号（ＣＯＮ１、ＣＯＮ２）によりコイル１６の励磁電流を向きを変えて流すようになっている。符号２６は検出回路でマイク２のアナログ信号をデジタル信号に変換して制御部７に入力するようになっている。また、符号２７は通信回路で、入力信号及び出力信号の増幅、成形を行なうものである。そして、符号２８、２９は信号ケーブル２を接続するコネクタを示し、この２つのコネクタは並列に接続されている。
【００１５】
このメロディ玩具装置は信号ケーブル２で連結された複数のメロディ玩具の中の１つの玩具にユーザーが働きかけると、この働きかけを受けたメロディ玩具はマスター玩具（親機）Ｍになるとともに、他のメロディ玩具はスレーブ玩具（子機）Ｓ１、Ｓ２、・・となり、バックコーラスとして親機の出力する主旋律に合わせて副旋律を出力し、全体としてハーモニーを構成するようになっているもので、ユーザーが働きかけたか否かはセンサ３が検出するが、このセンサ３はユーザーが息を吹きかけたことを検出するもので、本発明ではコンデンサマイクを使用している。なお、この働きかけは息を吹きかける代わりにタッチしたことを検出するようにしてもよい。この場合にはコンデンサマイクに代えて振動センサ等を用いればよい。
【００１６】
上記メモリ４には各メロディ玩具固有の複数の主旋律と、この主旋律に対応した副旋律及び他のメロディ玩具の主旋律に対応した副旋律とが記憶され、センサ３がユーザーの働きかけを感知すると、このセンサ３の感知信号を認識すると制御部７は自分を親機として設定し、複数の主旋律の中からランダムに１つの主旋律の曲目データを読み出し、読み出した曲目データを信号ケーブル２で接続された他のメロディ玩具に出力するようになっている。
【００１７】
この曲目データを受信した他のメロディ玩具の制御部７は自分を子機として設定するとともに、曲目データを受信したことを知らせるとともに子機に設定されたことを知らせる受信確認信号を信号ケーブル２を介して親機に送信する。
【００１８】
親機の制御部７は全ての子機から受信確認信号を受信するとメモリ４から主旋律データをメモリ読み出してスピーカ６から出力し、子機の制御部７はこの主旋律の出力に同期して副旋律をメモリから読み出してスピーカから出力するようになっている。
【００１９】
図６は、メロディ玩具のメモリに記憶されている主旋律と、副旋律のテーブルの一例を示すテーブル図を示し、例えばメロディ玩具Ａのメモリには主旋律Ａ１〜Ａ３、メロディ玩具Ａの副旋律ａ１〜ａ３、メロディ玩具Ｂの副旋律ｂ１〜ｂ３、メロディ玩具Ｃの副旋律ｃ１〜ｃ３、・・が記憶され、メロディ玩具Ｂのメモリには主旋律Ｂ１〜Ｂ３、メロディ玩具Ｂの副旋律ｂ１〜ｂ３、メロディ玩具Ａの副旋律ａ１〜ａ３、メロディ玩具Ｃの副旋律ｃ１’〜ｃ３’、・・が記憶されている。
【００２０】
例えば、メロディ玩具Ａ、Ｂ、Ｃ及びＤが連結され、メロディ玩具Ａが親機になってテーブルの中から主旋律Ａ３を読み出した場合は、メロディ玩具Ｂは副旋律ａ３、メロディ玩具Ｃは副旋律ａ３’、メロディ玩具Ｄは副旋律ａ３”を読み出し、主旋律Ａ３、副旋律ａ３、ａ３’、ａ３”でコーラスが成り立つようになっている。
【００２１】
図７は、親機Ｍが子機Ｓ１、Ｓ２、・・を認識する状態を説明するタイムチャート図を示し、図８、図９（ａ）に示すように、親機Ｍ（例えば、メロディ玩具Ａ）は、ＯＵＴ１の出力端子から曲目データを信号ケーブル２のＬＩＮＥ１に出力する。曲目データは信号ケーブル２を介して子機Ｓ１、Ｓ２、・・の入力端子ＩＮ１に入力され、曲目データを認識して自分を子機Ｓ１、Ｓ２、・・に設定したメロディ玩具は、設定後ＯＵＴ２の出力端子から受信確認信号を出力するとＬＩＮＥ２がＬになって受信確認信号を出力し、所定時間後Ｈになる。全ての受信確認信号がＨになるとＬＩＮＥ２がＨになるので親機Ｍは接続された全てのメロディ玩具が子機Ｓになったと認識するようになっている。
【００２２】
親機Ｍと子機Ｓとが設定されると親機Ｍは選択した曲目データの主旋律を出力する。この主旋律はメロディの出力に合わせてＯＵＴ１の出力信号を反転し、ＩＮ１の入力信号で子機Ｓ１、Ｓ２、・・は副旋律を出力するようになっている。
【００２３】
親機は出力信号の反転に同期して、コイル１６の励磁電流の向きを反転するので、作動板１５の磁石１７、１８はコイル１６に吸引・反発を繰り返すので作動板１５は支軸１４を中心に前後に回動する。作動板１５が回動すると下顎部材１９が上下に回動するとともに耳部材が前後に回動し、恰も歌っているような動作をさせることができる。このとき子機は入力信号の反転に同期して、親機と同様に下顎部材を動かして歌っているような動作をさせることができ、全体としてコーラスをしているような状況を作り出すことができる。
【００２４】
なお、複数の同じメロディ玩具を他のメロディ玩具と一緒に接続してもよい。例えば、図９（ｂ）に示すように、メロディ玩具Ａが２つの場合（２つ目のメロディ玩具をメロディ玩具Ａ’とする）、メロディ玩具Ａに働きかけて、メロディ玩具Ａを親機にするとメロディ玩具Ａ’はメロディ玩具Ａの送出する曲目データを受信することになるので他のメロディ玩具Ｂ〜Ｅと同様に子機に設定され、メロディ玩具Ａが主旋律（例えばＡ１）を出力した場合は、メロディ玩具Ａ’は副旋律ａ１を出力することになる（図６参照）。
【００２５】
また、同じメロディ玩具だけでメロディ玩具装置を構成した場合は、ユーザーが働きかけたメロディ玩具が親機となって主旋律を出力し、他の全てのメロディ玩具は同じ副旋律を出力することになる。
【００２６】
上述のように、ユーザーが働きかけたメロディ玩具が親機となり、親機に信号ケーブルで接続された全てのメロディ玩具が子機となって、副旋律を出力するので、特定のメロディ玩具が親機になるのではなく、ユーザーが働きかけたメロディ玩具が親機となるとともに、各メロディ玩具が固有に所有している主旋律をランダムに選択して出力するので、いつも同じメロディが出力されることが無く飽きのこないメロディ玩具装置を提供することができる。
【００２７】
【発明の効果】
請求項１の発明によれば、ユーザーが働きかけたメロディ玩具が親機となり、親機に信号ケーブルで接続された全てのメロディ玩具が子機となり、親機の出力する主旋律に合わせ子機が副旋律を出力するので、特定のメロディ玩具が親機になるのではなく、ユーザーが働きかけたメロディ玩具が親機になり親機が固定されないのでいつも同じメロディが出力されることが無く飽きのこないメロディ玩具装置を提供することができる。
【００２８】
請求項２の発明によれば、ユーザーが働きかけて親機になったメロディ玩具が主導権を握って、他のメロディ玩具を子機に設定するので、全てのメロディ玩具が親機になるとともに子機になることができ、様々なメロディの組合せを楽しむことができる。
【００２９】
請求項３の発明によれば、メロディの出力に連係して少なくとも身体の一部（例えば、口）を動作させ、単にメロディを出力するだけではなく歌う動作をしながらメロディを出力するので、見た目にも楽しいメロディ玩具を提供することができる。
【図面の簡単な説明】
【図１】本発明に係るメロディ玩具装置の一例を示す構成図
【図２】メロディ玩具の一例を示す斜視図
【図３】上記メロディ玩具の分解斜視図
【図４】（ａ）（ｂ）は作動機構の動作態様説明図
【図５】メロディ玩具の電気的構成を示すブロック図
【図６】メモリに記憶されている主旋律と副旋律を説明するテーブル図
【図７】親機と子機の関係を説明するタイムチャート図
【図８】主旋律と副旋律との関係を説明するタイムチャート図
【図９】（ａ）（ｂ）メロディ玩具の信号の流れ図
【符号の説明】
１  メロディ玩具
２  信号ケーブル
３  センサ
４  メモリ
５  作動機構
６  制御部
【図１】
2004219870.tif 000003
【図２】
2004219870.tif 000004
【図３】
2004219870.tif 000005
【図４】
2004219870.tif 000006
【図５】
2004219870.tif 000007
【図６】
2004219870.tif 000008
【図７】
2004219870.tif 000009
【図８】
2004219870.tif 000010
【図９】
2004219870.tif 000011